【手続補正書】
【提出日】平成16年8月4日(2004.8.4)
【手続補正１】
【補正対象書類名】明細書
【補正対象項目名】特許請求の範囲
【補正方法】変更
【補正の内容】
【特許請求の範囲】
【請求項１】
データ放送により伝送された文字データを含むデータ信号を受信する受信手段と、前記受信手段により受信されたデータ信号に係る画像を制御する制御手段と、制御された画像を表示装置に出力する出力手段と、接続された外部装置と相互に通信する通信手段とを有するデータ放送受信再生装置であって、
前記文字データはスクリプト情報を含み、
前記制御手段は、前記スクリプト情報に基づき前記通信手段により前記外部装置へ状態を問い合わせるコマンドを送信し、前記外部装置からの応答データに基づき前記表示装置に出力する画像を変化させるように制御することを特徴とするデータ放送受信再生装置。
【請求項２】
データ放送により伝送されたデータ信号を受信する受信手段と、前記受信手段により受信されたデータ信号に係る画像を制御する制御手段と、制御された画像を表示装置に出力する出力手段と、接続された外部装置と相互に通信する通信手段とを有するデータ放送受信再生装置であって、
前記制御手段は、前記通信手段により前記外部装置へ状態を問い合わせるコマンドを送信し、前記外部装置からの応答データに基づき、前記データ放送のコンテンツ画面上に前記外部装置の状態を表示するように制御することを特徴とするデータ放送受信再生装置。
【請求項３】
前記受信手段は複数のデータ信号を受信し、前記制御手段は、前記通信結果に応じて前記複数のデータ信号中より選択的にデータ信号に係る画像を前記出力手段に出力するように制御することを特徴とする請求項１または２記載のデータ放送受信再生装置。
【請求項４】
前記データ信号は、動画データ、静止画データ、音声データ、文字データ、及び制御コマンドデータのうち少なくとも一つを含むことを特徴とする請求項２記載のデータ放送受信再生装置。
【請求項５】
前記文字データは、マークアップ言語で記述されると共に表示レイアウト情報とスクリプト情報を含むことを特徴とする請求項４記載のデータ放送受信再生装置。
【請求項６】
前記制御手段は、前記通信手段からの前記外部装置が接続され通信が開始された状態であるとの通知に基づき前記表示装置に出力する画像を変化させるように制御することを特徴とする請求項１または２記載のデータ放送受信再生装置。
【請求項７】
前記制御手段は、前記通信手段により前記外部装置から受信したイベント通知コマンドのイベント内容に基づき前記表示装置に出力する画像を変化させるように制御することを特徴とする請求項１または２記載のデータ放送受信再生装置。
【請求項８】
前記外部装置は印刷装置であることを特徴とする請求項１または２記載のデータ放送受信再生装置。
【請求項９】
前記通信手段は、前記外部装置の状態に関する情報を前記外部装置より入力することを特徴とする請求項１または２記載のデータ放送受信再生装置。
【請求項１０】
前記制御手段は、前記表示装置に印刷データの印刷処理と対応した表示を行うと共に、外部入力による前記表示の選択に基づき該当する印刷処理を前記印刷装置に実行させることを特徴とする請求項８記載のデータ放送受信再生装置。
【請求項１１】
前記制御手段は、前記印刷装置における少なくとも印刷中状態、印刷停止中状態、エラー状態を含む状態を監視し、前記各々の状態に応じた文字データ或いは画像データ或いは映像データを前記表示装置に表示することを特徴とする請求項１０記載のデータ放送受信再生装置。
【請求項１２】
データ放送波を受信する受信手段と、前記データ放送波に多重化された映像データ、音声データ、画像データ、及びマークアップ言語で記述された文字情報とレイアウト情報とスクリプト情報を含むマークアップテキストデータとを取得する取得手段と、前記取得データを蓄積する蓄積手段と、前記レイアウト情報と前記スクリプト情報とに基づいて印刷データを生成し印刷装置へ出力する印刷出力手段と、前記印刷装置との間で通信を行う通信手段と、前記レイアウト情報と前記スクリプト情報とに基づいて表示データを生成し表示手段に表示すると共に、前記印刷装置との間の通信結果に基づきスクリプトを実行する制御手段とを有することを特徴とするデータ放送受信再生装置。
【請求項１３】
前記レイアウト情報は、少なくとも印刷用レイアウト情報と表示用レイアウト情報を含む情報であり、前記印刷出力手段は、前記印刷用レイアウト情報を元に前記印刷データを生成し、前記制御手段は、前記表示用レイアウト情報を元に前記表示データを生成することを特徴とする請求項１２記載のデータ放送受信再生装置。
【請求項１４】
データ放送により伝送された文字データを含むデータ信号を受信し、
前記受信されたデータ信号に係る画像を制御し、前記制御された画像を表示装置に出力し、
接続された外部装置と相互に通信し、
前記文字データはスクリプト情報を含み、
前記スクリプト情報に基づき前記外部装置へ状態を問い合わせるコマンドを送信し、前記外部装置からの応答データに基づき前記表示装置に出力する画像を変化させることを特徴とするデータ放送受信再生方法。
【請求項１５】
データ放送により伝送されたデータ信号を受信し、前記受信されたデータ信号に係る画像を制御し、前記制御された画像を表示装置に出力し、接続された外部装置と相互に通信し、前記外部装置へ状態を問い合わせるコマンドを送信し、前記外部装置からの応答データに基づき、前記データ放送のコンテンツ画面上に前記外部装置の状態を表示することを特徴とするデータ放送受信再生方法。
【請求項１６】
データ放送の受信が可能で且つ前記データ放送に関するデータを含む各種表示が可能なデータ放送受信再生装置と、該データ放送受信再生装置との間で通信可能な印刷装置とを具備してなるデータ放送受信再生システムであって、
前記データ放送受信再生装置は、データ放送波を受信する受信手段と、前記データ放送波に多重化された映像データ、音声データ、画像データ、及びマークアップ言語で記述され文字情報とレイアウト情報とスクリプト情報を含むマークアップテキストデータを取得する取得手段と、前記取得データを蓄積する蓄積手段と、前記蓄積データを含む各種表示を行う表示手段と、前記印刷装置との間で通信を行う通信手段と、前記レイアウト情報を元に印刷データを生成し印刷装置へ出力する印刷出力手段と、前記蓄積データと前記レイアウト情報を元に表示データを生成し前記表示手段に表示すると共に、前記印刷装置との間の通信結果に基づきスクリプトを実行する制御手段とを有することを特徴とするデータ放送受信再生システム。
【請求項１７】
データ放送の受信が可能で且つ前記データ放送に関するデータを含む各種表示が可能なデータ放送受信再生装置に適用されるデータ放送受信再生方法であって、
データ放送波を受信する受信工程と、前記データ放送波に多重化された映像データ、音声データ、画像データ、及びマークアップ言語で記述され文字情報とレイアウト情報とスクリプト情報を含むマークアップテキストデータを取得する取得工程と、前記取得データを蓄積する蓄積工程と、前記印刷装置との間で通信を行う通信工程と、前記レイアウト情報を元に印刷データを生成し印刷装置へ出力する印刷出力工程と、前記蓄積データと前記レイアウト情報を元に表示データを生成し表示手段に表示すると共に、前記印刷装置との間の通信結果に基づきスクリプトを実行する制御工程とを有することを特徴とするデータ放送受信再生方法。
【請求項１８】
データ放送波を受信する受信手段と、前記データ放送波に多重化された映像データ、音声データ、画像データ、文字データ、プログラムデータを取得する取得手段と、前記取得データを蓄積する蓄積手段と、前記蓄積データを含む各種表示をレイアウト情報に基づき表示する表示手段と、印刷装置との間で通信を行う通信手段と、前記プログラムデータを実行する実行手段とを備えたデータ放送受信再生装置に適用されるコンピュータ読み取り可能な記憶媒体であって、
前記印刷装置に対しスクリプト情報に基づいて印刷が可能か否かを問い合わせるステップと、前記印刷装置が印刷可能である場合と印刷可能でない場合とで前記表示手段の表示内容を変化させるステップとを有するプログラムを格納したことを特徴とするコンピュータ読み取り可能な記憶媒体。
【手続補正２】
【補正対象書類名】明細書
【補正対象項目名】００２２
【補正方法】変更
【補正の内容】
【００２２】
【課題を解決するための手段】
上記目的を達成する為、請求項１記載のデータ放送受信再生装置は、データ放送により伝送された文字データを含むデータ信号を受信する受信手段と、前記受信手段により受信されたデータ信号に係る画像を制御する制御手段と、制御された画像を表示装置に出力する出力手段と、接続された外部装置と相互に通信する通信手段とを有するデータ放送受信再生装置であって、前記文字データはスクリプト情報を含み、前記制御手段は、前記スクリプト情報に基づき前記通信手段により前記外部装置へ状態を問い合わせるコマンドを送信し、前記外部装置からの応答データに基づき前記表示装置に出力する画像を変化させるように制御することを特徴とする。
【手続補正３】
【補正対象書類名】明細書
【補正対象項目名】００２３
【補正方法】変更
【補正の内容】
【００２３】
上記目的を達成する為、請求項２記載のデータ放送受信再生装置は、データ放送により伝送されたデータ信号を受信する受信手段と、前記受信手段により受信されたデータ信号に係る画像を制御する制御手段と、制御された画像を表示装置に出力する出力手段と、接続された外部装置と相互に通信する通信手段とを有するデータ放送受信再生装置であって、前記制御手段は、前記通信手段により前記外部装置へ状態を問い合わせるコマンドを送信し、前記外部装置からの応答データに基づき、前記データ放送のコンテンツ画面上に前記外部装置の状態を表示するように制御することを特徴とする。
【手続補正４】
【補正対象書類名】明細書
【補正対象項目名】００２７
【補正方法】変更
【補正の内容】
【００２７】
上記目的を達成する為、請求項６記載のデータ放送受信再生装置は、前記制御手段は、前記通信手段からの前記外部装置が接続され通信が開始された状態であるとの通知に基づき前記表示装置に出力する画像を変化させるように制御することを特徴とする。
【手続補正５】
【補正対象書類名】明細書
【補正対象項目名】００２８
【補正方法】変更
【補正の内容】
【００２８】
上記目的を達成する為、請求項７記載のデータ放送受信再生装置は、前記制御手段は、前記通信手段により前記外部装置から受信したイベント通知コマンドのイベント内容に基づき前記表示装置に出力する画像を変化させるように制御することを特徴とする。
【手続補正６】
【補正対象書類名】明細書
【補正対象項目名】００２９
【補正方法】変更
【補正の内容】
【００２９】
上記目的を達成する為、請求項８記載のデータ放送受信再生装置は、前記外部装置は印刷装置であることを特徴とする。
【手続補正７】
【補正対象書類名】明細書
【補正対象項目名】００３０
【補正方法】変更
【補正の内容】
【００３０】
上記目的を達成する為、請求項９記載のデータ放送受信再生装置は、前記通信手段は、前記外部装置の状態に関する情報を前記外部装置より入力することを特徴とする。
【手続補正８】
【補正対象書類名】明細書
【補正対象項目名】００３１
【補正方法】変更
【補正の内容】
【００３１】
上記目的を達成する為、請求項１０記載のデータ放送受信再生装置は、前記制御手段は、前記表示装置に印刷データの印刷処理と対応した表示を行うと共に、外部入力による前記表示の選択に基づき該当する印刷処理を前記印刷装置に実行させることを特徴とする。
【手続補正９】
【補正対象書類名】明細書
【補正対象項目名】００３２
【補正方法】変更
【補正の内容】
【００３２】
上記目的を達成する為、請求項１１記載のデータ放送受信再生装置は、前記制御手段は、前記印刷装置における少なくとも印刷中状態、印刷停止中状態、エラー状態を含む状態を監視し、前記各々の状態に応じた文字データ或いは画像データ或いは映像データを前記表示装置に表示することを特徴とする。
【手続補正１０】
【補正対象書類名】明細書
【補正対象項目名】００３３
【補正方法】変更
【補正の内容】
【００３３】
上記目的を達成する為、請求項１２記載のデータ放送受信再生装置は、データ放送波を受信する受信手段と、前記データ放送波に多重化された映像データ、音声データ、画像データ、及びマークアップ言語で記述された文字情報とレイアウト情報とスクリプト情報を含むマークアップテキストデータとを取得する取得手段と、前記取得データを蓄積する蓄積手段と、前記レイアウト情報と前記スクリプト情報とに基づいて印刷データを生成し印刷装置へ出力する印刷出力手段と、前記印刷装置との間で通信を行う通信手段と、前記レイアウト情報と前記スクリプト情報とに基づいて表示データを生成し表示手段に表示すると共に、前記印刷装置との間の通信結果に基づきスクリプトを実行する制御手段とを有することを特徴とする。
【手続補正１１】
【補正対象書類名】明細書
【補正対象項目名】００３４
【補正方法】変更
【補正の内容】
【００３４】
上記目的を達成する為、請求項１３記載のデータ放送受信再生装置は、前記レイアウト情報は、少なくとも印刷用レイアウト情報と表示用レイアウト情報を含む情報であり、前記印刷出力手段は、前記印刷用レイアウト情報を元に前記印刷データを生成し、前記制御手段は、前記表示用レイアウト情報を元に前記表示データを生成することを特徴とする。
【手続補正１２】
【補正対象書類名】明細書
【補正対象項目名】００３５
【補正方法】変更
【補正の内容】
【００３５】
上記目的を達成する為、請求項１４記載のデータ放送受信再生方法は、データ放送により伝送された文字データを含むデータ信号を受信し、前記受信されたデータ信号に係る画像を制御し、前記制御された画像を表示装置に出力し、接続された外部装置と相互に通信し、前記文字データはスクリプト情報を含み、前記スクリプト情報に基づき前記外部装置へ状態を問い合わせるコマンドを送信し、前記外部装置からの応答データに基づき前記表示装置に出力する画像を変化させることを特徴とする。
【手続補正１３】
【補正対象書類名】明細書
【補正対象項目名】００３６
【補正方法】変更
【補正の内容】
【００３６】
上記目的を達成する為、請求項１５記載のデータ放送受信再生方法は、データ放送により伝送されたデータ信号を受信し、前記受信されたデータ信号に係る画像を制御し、前記制御された画像を表示装置に出力し、接続された外部装置と相互に通信し、前記外部装置へ状態を問い合わせるコマンドを送信し、前記外部装置からの応答データに基づき、前記データ放送のコンテンツ画面上に前記外部装置の状態を表示することを特徴とする。
【手続補正１４】
【補正対象書類名】明細書
【補正対象項目名】００３７
【補正方法】変更
【補正の内容】
【００３７】
上記目的を達成する為、請求項１６記載のデータ放送受信再生システムは、データ放送の受信が可能で且つ前記データ放送に関するデータを含む各種表示が可能なデータ放送受信再生装置と、該データ放送受信再生装置との間で通信可能な印刷装置とを具備してなるデータ放送受信再生システムであって、前記データ放送受信再生装置は、データ放送波を受信する受信手段と、前記データ放送波に多重化された映像データ、音声データ、画像データ、及びマークアップ言語で記述され文字情報とレイアウト情報とスクリプト情報を含むマークアップテキストデータを取得する取得手段と、前記取得データを蓄積する蓄積手段と、前記蓄積データを含む各種表示を行う表示手段と、前記印刷装置との間で通信を行う通信手段と、前記レイアウト情報を元に印刷データを生成し印刷装置へ出力する印刷出力手段と、前記蓄積データと前記レイアウト情報を元に表示データを生成し前記表示手段に表示すると共に、前記印刷装置との間の通信結果に基づきスクリプトを実行する制御手段とを有することを特徴とする。
【手続補正１５】
【補正対象書類名】明細書
【補正対象項目名】００３８
【補正方法】変更
【補正の内容】
【００３８】
上記目的を達成する為、請求項１７記載のデータ放送受信再生方法は、データ放送の受信が可能で且つ前記データ放送に関するデータを含む各種表示が可能なデータ放送受信再生装置に適用されるデータ放送受信再生方法であって、データ放送波を受信する受信工程と、前記データ放送波に多重化された映像データ、音声データ、画像データ、及びマークアップ言語で記述され文字情報とレイアウト情報とスクリプト情報を含むマークアップテキストデータを取得する取得工程と、前記取得データを蓄積する蓄積工程と、前記印刷装置との間で通信を行う通信工程と、前記レイアウト情報を元に印刷データを生成し印刷装置へ出力する印刷出力工程と、前記蓄積データと前記レイアウト情報を元に表示データを生成し表示手段に表示すると共に、前記印刷装置との間の通信結果に基づきスクリプトを実行する制御工程とを有することを特徴とする。
【手続補正１６】
【補正対象書類名】明細書
【補正対象項目名】００３９
【補正方法】変更
【補正の内容】
【００３９】
上記目的を達成する為、請求項１８記載の記憶媒体は、データ放送波を受信する受信手段と、前記データ放送波に多重化された映像データ、音声データ、画像データ、文字データ、プログラムデータを取得する取得手段と、前記取得データを蓄積する蓄積手段と、前記蓄積データを含む各種表示をレイアウト情報に基づき表示する表示手段と、印刷装置との間で通信を行う通信手段と、前記プログラムデータを実行する実行手段とを備えたデータ放送受信再生装置に適用されるコンピュータ読み取り可能な記憶媒体であって、前記印刷装置に対しスクリプト情報に基づいて印刷が可能か否かを問い合わせるステップと、前記印刷装置が印刷可能である場合と印刷可能でない場合とで前記表示手段の表示内容を変化させるステップとを有するプログラムを格納したことを特徴とする。
【手続補正１７】
【補正対象書類名】明細書
【補正対象項目名】００４０
【補正方法】削除
【補正の内容】
【手続補正１８】
【補正対象書類名】明細書
【補正対象項目名】００４１
【補正方法】削除
【補正の内容】
【手続補正１９】
【補正対象書類名】明細書
【補正対象項目名】００４２
【補正方法】削除
【補正の内容】
【手続補正２０】
【補正対象書類名】明細書
【補正対象項目名】００４３
【補正方法】削除
【補正の内容】
【手続補正２１】
【補正対象書類名】明細書
【補正対象項目名】００４４
【補正方法】削除
【補正の内容】
【手続補正２２】
【補正対象書類名】明細書
【補正対象項目名】００４５
【補正方法】削除
【補正の内容】
【手続補正２３】
【補正対象書類名】明細書
【補正対象項目名】００４６
【補正方法】削除
【補正の内容】
【手続補正２４】
【補正対象書類名】明細書
【補正対象項目名】００４７
【補正方法】削除
【補正の内容】
【手続補正２５】
【補正対象書類名】明細書
【補正対象項目名】００４８
【補正方法】削除
【補正の内容】
【手続補正２６】
【補正対象書類名】明細書
【補正対象項目名】００４９
【補正方法】削除
【補正の内容】
【手続補正２７】
【補正対象書類名】明細書
【補正対象項目名】００５０
【補正方法】削除
【補正の内容】
【手続補正２８】
【補正対象書類名】明細書
【補正対象項目名】００５１
【補正方法】削除
【補正の内容】
【手続補正２９】
【補正対象書類名】明細書
【補正対象項目名】００５２
【補正方法】削除
【補正の内容】
【手続補正３０】
【補正対象書類名】明細書
【補正対象項目名】００５３
【補正方法】削除
【補正の内容】
【手続補正３１】
【補正対象書類名】明細書
【補正対象項目名】００５４
【補正方法】削除
【補正の内容】
【手続補正３２】
【補正対象書類名】明細書
【補正対象項目名】００５５
【補正方法】削除
【補正の内容】
【手続補正３３】
【補正対象書類名】明細書
【補正対象項目名】００５６
【補正方法】削除
【補正の内容】
【手続補正３４】
【補正対象書類名】明細書
【補正対象項目名】００５７
【補正方法】削除
【補正の内容】
【手続補正３５】
【補正対象書類名】明細書
【補正対象項目名】００５８
【補正方法】削除
【補正の内容】
【手続補正３６】
【補正対象書類名】明細書
【補正対象項目名】００５９
【補正方法】削除
【補正の内容】
【手続補正３７】
【補正対象書類名】明細書
【補正対象項目名】００６０
【補正方法】削除
【補正の内容】
【手続補正３８】
【補正対象書類名】明細書
【補正対象項目名】００６１
【補正方法】削除
【補正の内容】
【手続補正３９】
【補正対象書類名】明細書
【補正対象項目名】００６２
【補正方法】削除
【補正の内容】
【手続補正４０】
【補正対象書類名】明細書
【補正対象項目名】００６３
【補正方法】削除
【補正の内容】
【手続補正４１】
【補正対象書類名】明細書
【補正対象項目名】００６４
【補正方法】削除
【補正の内容】
【手続補正４２】
【補正対象書類名】明細書
【補正対象項目名】００６５
【補正方法】削除
【補正の内容】
【手続補正４３】
【補正対象書類名】明細書
【補正対象項目名】００６６
【補正方法】削除
【補正の内容】